(57)【要約】【課題】より簡単に、自由度の高い編集作業を行う。【解決手段】表示制御部は、撮影画像を、編集入力の対象となる編集対象画像として表示し、入力受付部は、表示された編集対象画像に合成される合成用画像の選択を受け付け、合成処理部は、選択された合成用画像を編集対象画像に合成する。表示制御部は、編集対象画像とともに、編集対象画像のうちの、合成される合成用画像に対応する領域を拡大した拡大画像を表示する。本発明は、例えば、利用者を被写体として撮影する写真シール作成装置に適用できる。【選択図】図１０
2015034836.tif 000002
【特許請求の範囲】
【請求項１】
利用者を被写体として撮影し、得られた撮影画像に対して前記利用者に編集入力を行わせ、前記編集入力により編集された前記撮影画像をシール紙または携帯端末に出力する画像編集装置であって、
前記撮影画像を、前記編集入力の対象となる編集対象画像として表示する表示手段と、
表示された前記編集対象画像に合成される合成用画像の選択を受け付ける選択受付手段と、
選択された前記合成用画像を前記編集対象画像に合成する合成手段と
を備え、
前記表示手段は、前記編集対象画像とともに、前記編集対象画像のうちの、合成される前記合成用画像に対応する領域を拡大した拡大画像を表示する
画像編集装置。
【請求項２】
前記選択受付手段は、前記合成用画像の種類の選択を受け付けた後、選択された前記種類に含まれる前記合成用画像の選択を受け付け、
前記表示手段は、前記合成用画像の前記種類の選択を受け付けたときに、前記種類に対応する前記領域を拡大した前記拡大画像を表示する
請求項１に記載の画像編集装置。
【請求項３】
前記選択受付手段は、前記編集対象画像における前記利用者の顔全体または顔の一部に合成される前記合成用画像の前記種類の選択を受け付け、
前記表示手段は、前記合成用画像の前記種類の選択を受け付けたときに、前記種類に対応する前記顔全体または前記顔の一部を含む前記領域を拡大した前記拡大画像を表示する
請求項１または２に記載の画像編集装置。
【請求項４】
前記拡大画像の幅は、前記編集対象画像の幅より大きい幅とされ、
前記拡大画像の高さは、前記領域に含まれる前記顔全体または前記顔の一部の高さより大きい高さとされる
請求項３に記載の画像編集装置。
【請求項５】
前記表示手段は、前記編集対象画像の前記領域上に、前記拡大画像を重畳させて表示する
請求項１乃至４のいずれかに記載の画像編集装置。
【請求項６】
前記表示手段は、前記利用者の指示に応じて、前記拡大画像として表示される前記領域を移動させる
請求項１乃至５のいずれかに記載の画像編集装置。
【請求項７】
前記表示手段は、前記拡大画像の幅方向に、前記拡大画像として表示される前記領域を移動させる
請求項６に記載の画像編集装置。
【請求項８】
前記表示手段は、前記拡大画像の高さ方向の移動に応じて、前記拡大画像の前記高さ方向に、前記拡大画像として表示される前記領域を移動させる
請求項６または７に記載の画像編集装置。
【請求項９】
前記表示手段は、前記利用者の指示に応じて、前記拡大画像として表示される前記領域の拡大率を変更する
請求項１乃至８のいずれかに記載の画像編集装置。
【請求項１０】
前記表示手段は、前記利用者の指示に応じて、前記拡大画像上で、前記合成用画像を回転して表示する
請求項１乃至９のいずれかに記載の画像編集装置。
【請求項１１】
前記表示手段は、前記利用者の指示に応じて、前記拡大画像上で、前記合成用画像を拡大または縮小して表示する
請求項１乃至９のいずれかに記載の画像編集装置。
【請求項１２】
前記表示手段は、前記拡大画像上で、前記合成用画像の合成が確定された場合、前記合成用画像の透過率を変更して表示する
請求項１乃至９のいずれかに記載の画像編集装置。
【請求項１３】
前記表示手段は、前記利用者が複数の場合、前記合成用画像の前記種類の選択を受け付けたときに、選択された前記種類に対応する、複数の前記利用者の前記顔全体または前記顔の一部それぞれを含む前記領域を拡大した前記拡大画像を表示する
請求項３に記載の画像編集装置。
【請求項１４】
前記表示手段は、前記利用者が複数の場合、前記合成用画像の前記種類の選択を受け付けたときに、選択された前記種類に対応する、前記利用者毎の前記顔全体または前記顔の一部を含む前記領域それぞれを拡大した複数の前記拡大画像を表示する
請求項３に記載の画像編集装置。
【請求項１５】
利用者を被写体として撮影し、得られた撮影画像に対して前記利用者に編集入力を行わせ、前記編集入力により編集された前記撮影画像をシール紙または携帯端末に出力する画像編集装置の画像編集方法であって、
前記撮影画像を、前記編集入力の対象となる編集対象画像として表示する表示ステップと、
表示された前記編集対象画像に合成される合成用画像の選択を受け付ける選択受付ステップと、
選択された前記合成用画像を前記編集対象画像に合成する合成ステップと
を含み、
前記表示ステップは、前記編集対象画像とともに、前記編集対象画像のうちの、合成される前記合成用画像に対応する領域を拡大した拡大画像を表示する
画像編集方法。
【請求項１６】
利用者を被写体として撮影し、得られた撮影画像に対して前記利用者に編集入力を行わせ、前記編集入力により編集された前記撮影画像をシール紙または携帯端末に出力する画像編集装置を制御するコンピュータに、
前記撮影画像を、前記編集入力の対象となる編集対象画像として表示する表示ステップと、
表示された前記編集対象画像に合成される合成用画像の選択を受け付ける選択受付ステップと、
選択された前記合成用画像を前記編集対象画像に合成する合成ステップと
を含む処理を実行させ、
前記表示ステップは、前記編集対象画像とともに、前記編集対象画像のうちの、合成される前記合成用画像に対応する領域を拡大した拡大画像を表示する
プログラム。
【発明の詳細な説明】
【技術分野】
【０００１】
本発明は、画像編集装置、画像編集方法、およびプログラムに関し、特に、より簡単に、自由度の高い編集作業を行うことができるようにした画像編集装置、画像編集方法、およびプログラムに関する。
【背景技術】
【０００２】
従来、利用者（被写体）を撮影し、得られた撮影画像に予め用意されている画像を合成したり、文字や線画を重畳させたりする落書き編集処理を行い、シール紙に印刷し、写真シールとして利用者に提供する写真シール機が存在する。
【０００３】
この写真シール機は、例えば、ゲームセンタ等の娯楽（遊戯）施設に設置され、主に女子高生や女子中学生等を中心とする利用者に有料でサービスを提供する。利用者は、写真シールの作成作業をゲームとして楽しむだけでなく、出力される様々なサイズの編集済み画像が印刷されている写真シールを仲間同士で切り分けあって、それぞれの所持品に貼り付けたりする。
【０００４】
このような写真シール機の中には、オリジナリティのある仕上がりの写真シールを提供するために、編集対象画像上の利用者の所望する位置に、特殊色合成用画像（スタンプ画像）を合成させるようにしたものがある（例えば、特許文献１参照）。
【０００５】
また、デザイン画像が合成されている編集用画像に、デザイン画像と同一デザインの合成用画像を合成する際、その合成用画像がデザイン画像から所定の範囲内に移動されると、その合成用画像を、デザイン画像と同一位置に合成するようにした写真シール機がある（例えば、特許文献２参照）。
【０００６】
さらに、カメラにより撮影された被写体画像を、利用者により選択された背景画像に任意の位置・大きさで合成する場合に、最適な合成位置のガイダンスを表示するものがある。
【０００７】
また、編集画面に表示される目強調ボタンにより、編集対象画像における利用者の目の部分を段階的に大きく表示し、利用者に決定させるようにした写真シール機がある（例えば、特許文献３参照）。
【０００８】
さらに、利用者が、編集パレット上に表示される撮影画像において、拡大したい領域を選択すると、その領域を拡大して編集対象画像の表示領域内に表示し、拡大された領域に対して編集作業を行わせるようにした写真シール機が知られている。
【先行技術文献】
【特許文献】
【０００９】
【特許文献１】特開２００９−８３４５７号公報
【特許文献２】特開２０１２−２９０７２号公報
【特許文献３】特許第４７１５９６４号公報
【発明の概要】
【発明が解決しようとする課題】
【００１０】
特許文献１の写真シール機においては、特殊合成用画像を、その大きさや向きを選択して編集対象画像に貼り付ける（合成する）ことができるが、特殊合成用画像が、例えば目などの顔の器官に貼り付けるスタンプ画像であった場合、目の大きさや向きと、スタンプ画像の大きさや向きとが一致せず、また、貼り付け位置が合わない恐れがあった。この場合、利用者は、スタンプ画像の大きさや向き、貼り付け位置を何度も調整する必要があり、このことは、利用者にとって煩わしく、利用者は、編集作業を途中で断念することがあった。
【００１１】
特許文献２の写真シール機においては、利用者による貼り付け位置の細かい調整を必要とせずに、合成用画像を貼り付けることができるものの、デザイン画像の位置によって貼り付け位置が決まってしまうため、編集作業の自由度は決して高くはなかった。
【００１２】
また、背景画像における最適な合成位置のガイダンスを表示する技術においては、選択された背景画像によって被写体画像の大きさが変更されるので、被写体を大きく表示させたい場合は、被写体画像が大きく表示される背景画像を選択する必要があるが、このこともまた、利用者にとって煩わしく、さらに、被写体画像の大きさによっては、被写体画像と背景画像とのバランスが崩れる恐れがあった。
【００１３】
特許文献３の写真シール機においては、目強調ボタンにより、編集対象画像における利用者の目の部分を大きく表示することができるので、その目の部分にスタンプ画像を貼り付ける作業は多少容易になるが、この場合でも、利用者は、スタンプ画像の大きさや向き、貼り付け位置を調整する必要があった。
【００１４】
さらに、利用者に選択されて拡大された領域に対して編集作業を行わせるようにした写真シール機においては、利用者が拡大する領域を選択する作業が必要であり、これが、特に初心者にとっては分かりにくい作業であるため、編集作業に時間がかかる恐れがあった。
【００１５】
本発明は、このような状況に鑑みてなされたものであり、より簡単に、自由度の高い編集作業を行うものである。
【課題を解決するための手段】
【００１６】
本発明の一側面の画像編集装置は、利用者を被写体として撮影し、得られた撮影画像に対して前記利用者に編集入力を行わせ、前記編集入力により編集された前記撮影画像をシール紙または携帯端末に出力する画像編集装置であって、前記撮影画像を、前記編集入力の対象となる編集対象画像として表示する表示手段と、表示された前記編集対象画像に合成される合成用画像の選択を受け付ける選択受付手段と、選択された前記合成用画像を前記編集対象画像に合成する合成手段とを備え、前記表示手段は、前記編集対象画像とともに、前記編集対象画像のうちの、合成される前記合成用画像に対応する領域を拡大した拡大画像を表示する。
【００１７】
前記選択受付手段には、前記合成用画像の種類の選択を受け付けた後、選択された前記種類に含まれる前記合成用画像の選択を受け付けさせ、前記表示手段には、前記合成用画像の前記種類の選択を受け付けたときに、前記種類に対応する前記領域を拡大した前記拡大画像を表示させることができる。
【００１８】
前記選択受付手段には、前記編集対象画像における前記利用者の顔全体または顔の一部に合成される前記合成用画像の前記種類の選択を受け付けさせ、前記表示手段には、前記合成用画像の前記種類の選択を受け付けたときに、前記種類に対応する前記顔全体または前記顔の一部を含む前記領域を拡大した前記拡大画像を表示させることができる。
【００１９】
前記拡大画像の幅は、前記編集対象画像の幅より大きい幅とされ、前記拡大画像の高さは、前記領域に含まれる前記顔全体または前記顔の一部の高さより大きい高さとされるようにすることができる。
【００２０】
前記表示手段には、前記編集対象画像の前記領域上に、前記拡大画像を重畳させて表示させることができる。
【００２１】
前記表示手段には、前記利用者の指示に応じて、前記拡大画像として表示される前記領域を移動させることができる。
【００２２】
前記表示手段には、前記拡大画像の幅方向に、前記拡大画像として表示される前記領域を移動させることができる。
【００２３】
前記表示手段には、前記拡大画像の高さ方向の移動に応じて、前記拡大画像の前記高さ方向に、前記拡大画像として表示される前記領域を移動させることができる。
【００２４】
前記表示手段には、前記利用者の指示に応じて、前記拡大画像として表示される前記領域の拡大率を変更させることができる。
【００２５】
前記表示手段には、前記利用者の指示に応じて、前記拡大画像上で、前記合成用画像を回転して表示させることができる。
【００２６】
前記表示手段には、前記利用者の指示に応じて、前記拡大画像上で、前記合成用画像を拡大または縮小して表示させることができる。
【００２７】
前記表示手段には、前記拡大画像上で、前記合成用画像の合成が確定された場合、前記合成用画像の透過率を変更して表示させることができる。
【００２８】
前記表示手段には、前記利用者が複数の場合、前記合成用画像の前記種類の選択を受け付けたときに、選択された前記種類に対応する、複数の前記利用者の前記顔全体または前記顔の一部それぞれを含む前記領域を拡大した前記拡大画像を表示させることができる。
【００２９】
前記表示手段には、前記利用者が複数の場合、前記合成用画像の前記種類の選択を受け付けたときに、選択された前記種類に対応する、前記利用者毎の前記顔全体または前記顔の一部を含む前記領域それぞれを拡大した複数の前記拡大画像を表示させることができる。
【００３０】
本発明の一側面の画像編集方法は、利用者を被写体として撮影し、得られた撮影画像に対して前記利用者に編集入力を行わせ、前記編集入力により編集された前記撮影画像をシール紙または携帯端末に出力する画像編集装置の画像編集方法であって、前記撮影画像を、前記編集入力の対象となる編集対象画像として表示する表示ステップと、表示された前記編集対象画像に合成される合成用画像の選択を受け付ける選択受付ステップと、選択された前記合成用画像を前記編集対象画像に合成する合成ステップとを含み、前記表示ステップは、前記編集対象画像とともに、前記編集対象画像のうちの、合成される前記合成用画像に対応する領域を拡大した拡大画像を表示する。
【００３１】
本発明の一側面のプログラムは、利用者を被写体として撮影し、得られた撮影画像に対して前記利用者に編集入力を行わせ、前記編集入力により編集された前記撮影画像をシール紙または携帯端末に出力する画像編集装置を制御するコンピュータに、前記撮影画像を、前記編集入力の対象となる編集対象画像として表示する表示ステップと、表示された前記編集対象画像に合成される合成用画像の選択を受け付ける選択受付ステップと、選択された前記合成用画像を前記編集対象画像に合成する合成ステップとを含む処理を実行させ、前記表示ステップは、前記編集対象画像とともに、前記編集対象画像のうちの、合成される前記合成用画像に対応する領域を拡大した拡大画像を表示する。
【００３２】
本発明の一側面によれば、撮影画像が、編集入力の対象となる編集対象画像として表示され、表示された編集対象画像に合成される合成用画像の選択が受け付けられ、選択された合成用画像が編集対象画像に合成される。編集対象画像とともに、編集対象画像のうちの、合成される合成用画像に対応する領域を拡大した拡大画像が表示される。
【発明の効果】
【００３３】
本発明によれば、より簡単に、自由度の高い編集作業を行うことが可能となる。
【図面の簡単な説明】
【００３４】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】編集部の構成例を示す図である。
【図７】事後接客部の構成例を示す図である。
【図８】写真シール作成装置の内部の構成例を示すブロック図である。
【図９】制御部の詳細な構成例を示す機能ブロック図である。
【図１０】編集処理部の構成例を示す機能ブロック図である。
【図１１】写真シール作成ゲーム処理について説明するフローチャートである。
【図１２】編集処理について説明するフローチャートである。
【図１３】メイクアップスタンプ合成処理について説明するフローチャートである。
【図１４】編集画面の例を示す図である。
【図１５】拡大画像の例を示す図である。
【図１６】拡大画像の拡大率について説明する図である。
【図１７】メイクアップスタンプの合成について説明する図である。
【図１８】編集画面の他の例を示す図である。
【図１９】編集画面のさらに他の例を示す図である。
【図２０】編集画面のさらに他の例を示す図である。
【図２１】拡大画像の他の例を示す図である。
【発明を実施するための形態】
【００３５】
以下、本発明における実施の形態について説明する。
【００３６】
［写真シール作成装置の外観構成］
図１は、写真シール作成装置１の外観の構成例を示す斜視図である。
【００３７】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタ等の店舗に設置される。利用者は１人であることもあるが、主に２人または３人等の複数人である。
【００３８】
写真シール作成装置１が提供するゲームで遊ぶ利用者は、代金を投入し、自身が被写体となって撮影を行い、撮影によって得られた撮影画像の中から選択した編集対象の画像に対して、背景や前景の画像となる合成用画像や手書きの線画やスタンプ画像を合成する編集機能を用いることにより、撮影画像を彩り豊かな画像に編集する。利用者は、編集済みの画像が印刷されたシール紙を受け取って一連のゲームを終了させることになる。
【００３９】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００４０】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００４１】
撮影部２１は、利用者を撮影する撮影処理を行う装置である。撮影部２１は、撮影空間に入り、撮影処理を行っている利用者の正面に位置する。撮影空間を正面に臨む面を構成する撮影部２１の正面パネル４１には、撮影処理時に利用者により用いられるタッチパネルモニタ等が設けられる。撮影空間にいる利用者から見て左側の面を左側面、右側の面を右側面とすると、撮影部２１の左側面が側面パネル４２Ａにより構成され、右側面が側面パネル４２Ｂ（図示せず）により構成される。
【００４２】
側面パネル４２Ａには、複数個のLED（Light Emitting Diode）が埋め込まれてなるLED発光部４２Ｌが設けられている。側面パネル４２Ａの表面には、その全体を覆うように、写真シール作成装置１の製造メーカや、その製造メーカと提携している企業の商品やサービス等の広告が印刷されたアクリル板等から構成されるPOP広告が装着される。そのPOP広告のLED発光部４２Ｌに対応する部分には、広告として特にアピールされる情報が印刷され、LED発光部４２Ｌの発光によりその情報が強調されるようになる。LED発光部４２Ｌは、図示せぬ側面パネル４２Ｂにも設けられるようにしてもよいし、側面パネル４２Ａ，側面パネル４２Ｂのいずれか一方のみに設けられるようにしてもよい。
【００４３】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図示せず）から構成される。
【００４４】
撮影部２１の左側面を構成する側面パネル４２Ａと背景部２２の側面パネル５２Ａは、ほぼ同一平面に設けられ、それぞれの上部が板状の部材である連結部２３Ａによって、それぞれの下部が、例えば金属製の略コの字型の部材である連結部２３Ａ’によって連結される。また、図示されないが、撮影部２１の右側面を構成する側面パネル４２Ｂと背景部２２の側面パネル５２Ｂは、ほぼ同一平面に設けられ、それぞれの上部が板状の部材である連結部２３Ｂによって、それぞれの下部が、例えば金属製の略コの字型の部材である連結部２３Ｂ’によって連結される。
【００４５】
撮影部２１の側面パネル４２Ａ、連結部２３Ａ、および背景部２２の側面パネル５２Ａに囲まれることによって形成される開口が撮影空間の出入り口Ｇ１となる。図示されないが、撮影部２１の側面パネル４２Ｂ、連結部２３Ｂ、および背景部２２の側面パネル５２Ｂに囲まれることによって形成される開口も撮影空間の出入り口Ｇ２となる。
【００４６】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用される巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００４７】
なお、背景カーテンユニット２５に収納される背景カーテンとしては、複数枚のカーテンを１枚のクロマキー用のカーテンとして使用する昇降式カーテンを用意してもよい。また、クロマキー用のカーテンを予め撮影空間の背面となる背面パネル５１に張り付けるとともに、合成用の背景画像を複数種類用意し、撮影処理や編集処理において、利用者が所望する背景画像をカーテンの部分に合成することができるようにしてもよい。
【００４８】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４９】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタ等の構成が設けられる。
【００５０】
図１に示す編集部１２の構成を正面側の構成とすると、２組の利用者が同時に編集処理を行うことができるように、編集部１２の正面側と背面側には編集処理に用いられる構成がそれぞれ設けられる。
【００５１】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図２）が設けられる。
【００５２】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００５３】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００５４】
図２は、写真シール作成装置１を別の角度から見た斜視図である。
【００５５】
事後接客部１３は事後接客処理を利用者に行わせる装置である。事後接客処理には、撮影画像や編集済みの画像を携帯電話機等の携帯端末に送信する処理、ミニゲームを利用者に行わせる処理、アンケートに答えさせる処理等が含まれる。
【００５６】
図２に示すように、事後接客部１３は、所定の厚さを有する板状の筐体をその一部として有しており、残りの部分は編集部１２の左側面と一体に設けられる。事後接客部１３の正面には、事後接客処理時に利用者により用いられるタブレット内蔵モニタや、撮影画像や編集済みの画像が印刷されたシール紙が排出される排出口等が設けられる。事後接客部１３の正面前方の空間が、シール紙への印刷が終わるのを待っている利用者が事後接客処理を行う事後接客空間となる。
【００５７】
ここで、写真シール作成ゲームの流れと、それに伴う利用者の移動について図３を参照して説明する。図３は、写真シール作成装置１を上から見た平面図である。
【００５８】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタ等を利用して撮影処理を行う。
【００５９】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００６０】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示等によって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００６１】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００６２】
画像の印刷が終了したとき、利用者は、事後接客部１３に設けられた排出口からシール紙を受け取り、一連の写真シール作成ゲームを終えることになる。
【００６３】
次に、各装置の構成について説明する。
【００６４】
［撮影部の構成］
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００６５】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。
【００６６】
正面パネル４１のほぼ中央には撮影・表示ユニット８１が設けられる。撮影・表示ユニット８１は、カメラ９１、タッチパネルモニタ９２、乳白アクリル板９３から構成される。
【００６７】
カメラ９１は、レンズやCCD(Charge Coupled Device)等の撮像素子により構成され、撮影空間Ａ１にいる利用者を撮影する。カメラ９１により取り込まれた動画像は、タッチパネルモニタ９２にリアルタイムで表示される。利用者により撮影が指示されたとき等の所定のタイミングでカメラ９１により取り込まれた画像は撮影画像（静止画像）として保存される。
【００６８】
カメラ９１の下側に設けられたタッチパネルモニタ９２は、LCD(Liquid Crystal Display)等のモニタと、それに積層されたタッチパネルにより構成される。タッチパネルモニタ９２は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９２には、適宜、撮影結果としての静止画像や、背景等の画像が合成された後の動画像が表示される。
【００６９】
カメラ９１の上側および左右を囲うように複数設けられた乳白アクリル板９３の背後には、他のストロボと同様に、カメラ９１による撮影に合わせて発光し、被写体としての利用者の顔付近を正面から照射する蛍光灯およびストロボ発光可能な照明装置が設けられている。
【００７０】
正面パネル４１には、撮影・表示ユニット８１の上方に上ストロボ８２が設置され、上ストロボ８２は、利用者を上前方から照射する。
【００７１】
ベース部４３には利用者の足元を照射する足元ストロボ８３も設けられる。上ストロボ８２および足元ストロボ８３の内部には蛍光灯が設けられており、天井ストロボユニット２４を構成するストロボの内部の蛍光灯と合わせて、撮影空間Ａ１内の照明として用いられる。各蛍光灯の発光量が調整されることによって、または、発光させる蛍光灯の数が調整されることによって、撮影空間Ａ１内の明るさが、利用者が行っている撮影処理の内容に応じて適宜調整される。
【００７２】
足元ストロボ８３の右側には、利用者がお金を投入する硬貨投入返却口８４が設けられる。
【００７３】
ベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００７４】
［背景部の構成］
図５は、背景部２２の撮影空間Ａ１側の構成例を示す図である。
【００７５】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００７６】
背面パネル５１の、出入り口Ｇ１側の位置には、撮影空間Ａ１内で撮影処理を行っている利用者を左後方から照射する背面左ストロボ１０２が取り付けられる。また、背面パネル５１の、出入り口Ｇ２側の位置には、撮影空間Ａ１内で撮影処理を行っている利用者を右後方から照射する背面右ストロボ１０３が取り付けられる。
【００７７】
［編集部の構成］
図６は、編集部１２の正面側（編集空間Ａ２−１側）の構成例を示す図である。
【００７８】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７９】
タブレット内蔵モニタ１３１は、タッチペン１３２Ａまたは１３２Ｂを用いて操作入力が可能なタブレットがLCD等のモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００８０】
編集部１２の左側には事後接客部１３が設けられる。
【００８１】
［事後接客部の構成］
図７は、事後接客部１３の正面側の構成例を示す図である。
【００８２】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCD等のモニタに重畳して設けられることによって構成される。タブレット内蔵モニタ１６１には、ミニゲーム等の事後接客処理に用いられる画面が表示される。
【００８３】
タブレット内蔵モニタ１６１の下にはシール紙排出口１６３が設けられ、タブレット内蔵モニタ１６１の上にはスピーカ１６４が設けられる。
【００８４】
シール紙排出口１６３には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００８５】
スピーカ１６４は、事後接客処理の案内音声、BGM、効果音等の音を出力する。
【００８６】
［写真シール作成装置の内部構成］
次に、写真シール作成装置１の内部構成について説明する。図８は、写真シール作成装置１の内部の構成例を示すブロック図である。上述した構成と同じ構成には同じ符号を付してある。重複する説明については適宜省略する。
【００８７】
制御部２０１はCPU(Central Processing Unit)等よりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、および事後接客部２１０の各構成も接続される。
【００８８】
記憶部２０２は、ハードディスクやフラッシュメモリ等の不揮発性の記憶媒体からなり、制御部２０１から供給された各種の設定情報を記憶する。記憶部２０２に記憶されている情報は制御部２０１により適宜読み出される。
【００８９】
通信部２０３は、インターネット等のネットワークのインタフェースであり、制御部２０１による制御に従って外部の装置と通信を行う。
【００９０】
ドライブ２０４には、光ディスクや半導体メモリ等よりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００９１】
ROM２０６には、制御部２０１において実行されるプログラムやデータが記憶されている。RAM２０７は、制御部２０１が処理するデータやプログラムを一時的に記憶する。
【００９２】
撮影部２０８は、撮影空間Ａ１における撮影処理を行う構成である硬貨処理部２２１、背景制御部２２２、照明装置２２３、カメラ９１、タッチパネルモニタ９２、およびスピーカ２２４から構成される。
【００９３】
硬貨処理部２２１は、硬貨投入返却口８４に対する硬貨の投入を検出する。硬貨処理部２２１は、例えば４００円等の所定の金額分の硬貨が投入されたことを検出した場合、そのことを表す起動信号を制御部２０１に出力する。
【００９４】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００９５】
照明装置２２３は、撮影空間Ａ１内の各ストロボの内部に設けられる蛍光灯であり、制御部２０１より供給される照明制御信号に従って発光する。上述したように、撮影空間Ａ１には、天井ストロボユニット２４のストロボの他に、撮影部２１に設けられる上ストロボ８２、背景部２２に設けられる背面中央ストロボ１０１、背面左ストロボ１０２，背面右ストロボ１０３が設けられている。また、乳白アクリル板９３の背後にも、照明装置２２３としての蛍光灯が設けられている。
【００９６】
また、照明装置２２３は、制御部２０１による制御に従って発光量を調整することによって、利用者が行っている撮影作業の段階に応じて撮影空間Ａ１内の明るさを調整する。
【００９７】
カメラ９１は、制御部２０１による制御に従って撮影を行い、撮影によって得られた画像を制御部２０１に出力する。
【００９８】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００９９】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【０１００】
事後接客部２１０は、事後接客空間Ａ３における事後接客処理を行う構成であるタブレット内蔵モニタ１６１、タッチペン１６２Ａ，１６２Ｂ、スピーカ１６４、印刷処理を行う構成であるプリンタ２４１、およびシール紙ユニット２４２から構成される。
【０１０１】
プリンタ２４１は、撮影画像、または編集処理によって得られた編集済みの画像を、プリンタ２４１に装着されたシール紙ユニット２４２に収納されているシール紙に印刷し、シール紙排出口１６３に排出する。
【０１０２】
［制御部の構成］
次に、制御部２０１について説明する。図９は、制御部２０１がROM２０６等に格納されているプログラムを実行することにより実現される機能ブロックの構成例を示している。
【０１０３】
制御部２０１は、写真シール作成ゲームを開始する際に投入される代金に関する処理や利用者グループを撮影する等の写真シール作成ゲームの撮影作業の工程に関する処理を行う撮影処理部３０１、撮影画像に対する落書き編集等の写真シール作成ゲームの編集作業の工程に関する処理を行う編集処理部３０２、シール紙の印刷等の写真シール作成ゲームの印刷の工程に関する処理を行う印刷処理部３０３、および、編集作業を終了した利用者グループを接客する写真シール作成ゲームの事後接客の工程に関する処理を行う事後接客処理部３０４を有する。
【０１０４】
つまり、制御部２０１は、写真シール作成ゲームの各工程に関する処理の制御を行う。
【０１０５】
［編集処理部の構成例］
図１０は、図９の編集処理部３０２の詳細な構成例を示している。
【０１０６】
編集処理部３０２は、編集処理を行うことで、撮影処理により得られた撮影画像を編集対象画像として利用者に選択させ、選択された撮影画像に合成する合成用画像を利用者に選択させ、選択された合成用画像を撮影画像に合成し、得られた合成画像を編集済み画像として出力する。
【０１０７】
ここで、合成用画像には、利用者による描画入力の描画軌跡に対応して合成される線からなる画像であるペン画像、撮影画像の任意の位置に合成される図形や文字等の画像であるスタンプ画像、撮影画像の予め定められた位置に合成される図柄や模様等の画像であるフレーム画像が含まれる。すなわち、編集処理部３０２は、利用者による編集入力に基づいて、撮影画像に対してペン画像やスタンプ画像、フレーム画像を合成することで、合成画像を生成する。これらの合成用画像は、記憶部２０２に記憶されている。
【０１０８】
また、スタンプ画像には、撮影画像における被写体（利用者）の顔全体や顔の一部（器官）に合成される化粧用画像が含まれる。化粧用画像は、特に女性が顔全体や顔の一部（器官）の化粧のために用いるリップ、アイライン、つけまつげ、カラーコンタクト、チーク等のアイテムを模した画像である。以下、化粧用画像をメイクアップスタンプという。
【０１０９】
編集処理部３０２は、表示制御部３１１、入力受付部３１２、および合成処理部３１３から構成される。
【０１１０】
表示制御部３１１は、編集部２０９におけるタブレット内蔵モニタ１３１の表示を制御する。例えば、表示制御部３１１は、撮影画像を、編集入力の対象となる編集対象画像として、タブレット内蔵モニタ１３１に表示される編集画面の所定の領域に表示させる。
【０１１１】
入力受付部３１２は、タブレット内蔵モニタ１３１に対する、利用者によるタッチペン１３２Ａ，１３２Ｂを用いた操作入力を受け付ける。例えば、入力受付部３１２は、編集画面に表示された編集対象画像に合成される合成用画像の選択を受け付ける。
【０１１２】
合成処理部３１３は、利用者により選択された合成用画像を編集対象画像に合成する合成処理を行う。
【０１１３】
また、表示制御部３１１は、拡大画像表示制御部３２１および合成用画像表示制御部３２２を備えている。
【０１１４】
拡大画像表示制御部３２１は、タブレット内蔵モニタ１３１に表示される編集画面において、編集対象画像の表示とともに、編集対象画像のうちの、利用者に選択されて合成される合成用画像に対応する領域を拡大した拡大画像の表示を制御する。具体的には、拡大画像表示制御部３２１は、編集対象画像のうちの、利用者に選択された合成用画像の合成対象となる領域を拡大した拡大画像の表示を制御する。
【０１１５】
合成用画像表示制御部３２２は、拡大画像表示制御部３２１の制御によって表示されている拡大画像における合成用画像の表示を制御する。
【０１１６】
［写真シール作成装置の動作］
ここで、図１１のフローチャートを参照して、写真シール作成ゲームを提供する写真シール作成装置１の処理について説明する。
【０１１７】
ステップＳ１において、写真シール作成装置１の制御部２０１の撮影処理部３０１は、所定の金額分の硬貨が投入されたか否かを硬貨処理部２２１から供給される信号に基づいて判定し、投入されたと判定するまで待機する。
【０１１８】
硬貨が投入されたとステップＳ１において判定した場合、ステップＳ２において、撮影処理部３０１は、撮影部２０８を制御し、カメラ９１に取り込まれた被写体の動画像をタッチパネルモニタ９２にライブビュー表示させ、撮影空間Ａ１にいる利用者を被写体として撮影する撮影処理を行う。
【０１１９】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９２に画面を表示させることによって、または音声をスピーカ２２４から出力させることによって行われる。
【０１２０】
ステップＳ４において、編集処理部３０２は、編集空間Ａ２−１と編集空間Ａ２−２のうち、撮影処理を終えた利用者の移動先とした方の編集空間に対応する編集部２０９を制御し、編集処理を行う。なお、編集処理については、図１８のフローチャートを参照して後述する。
【０１２１】
ステップＳ５において、編集処理部３０２は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１２２】
ステップＳ６において、印刷処理部３０３は、利用者により選択された画像をプリンタ２４１に出力してシール紙に印刷させる印刷処理を行う。
【０１２３】
ステップＳ７において、事後接客処理部３０４は、事後接客部２１０を制御し、印刷終了待機中の利用者に対する事後接客処理を行う。具体的には、事後接客処理部３０４は、撮影画像や編集済みの画像を携帯端末に送信する携帯送信ゲーム処理を事後接客処理として行い、携帯端末の電子メールアドレスを直接入力することで画像を携帯端末に送信するか、非接触型ICと通信することで画像を携帯端末に送信するかを利用者に選択させる送信方法の選択画面や、送信する画像の選択画面をタブレット内蔵モニタ１６１に表示させ、利用者による操作に応じて画像を送信する。
【０１２４】
印刷が終了すると、ステップＳ８において、事後接客処理部３０４は、印刷が終了した旨をタブレット内蔵モニタ１６１に表示させ、プリンタ２４１は、画像が印刷されたシール紙をシール紙排出口１６３に排出し、処理を終了させる。
【０１２５】
［編集処理の例］
次に、図１２のフローチャートを参照して、画像編集装置としての写真シール作成装置１によって実行される、上述した写真シール作成ゲームの一連の処理におけるステップＳ４の編集処理について説明する。
【０１２６】
ステップＳ３１において、編集処理部３０２の表示制御部３１１は、編集対象画像（撮影画像）における被写体（利用者）の目のサイズや明るさを選択させるための選択画面をタブレット内蔵モニタ１３１に表示させ、利用者に目のサイズや明るさを選択させる。
【０１２７】
入力受付部３１２が、目のサイズや明るさを選択する利用者の操作入力を受け付けると、ステップＳ３２において、表示制御部３１１は、利用者に名前を入力させるための名前入力画面をタブレット内蔵モニタ１３１に表示させる。
【０１２８】
ステップＳ３３において、入力受付部３１２は、名前入力画面に対する利用者による名前入力を受け付ける。これにより、撮影画像における被写体と、入力された名前とが紐付けられ、その情報がRAM２０７や記憶部２０２に記憶される。
【０１２９】
ステップＳ３４において、表示制御部３１１は、編集対象画像としての撮影画像の背景領域に合成される背景画像を選択させるための選択画面をタブレット内蔵モニタ１３１に表示させ、利用者に背景を選択させる。
【０１３０】
利用者が背景を選択すると、表示制御部３１１は、次に、タブレット内蔵モニタ１３１に編集開始ボタンのGUI画像を表示する。利用者により、タッチペン１３２Ａ，１３２Ｂを用いて、その編集開始ボタンが操作されると、ステップＳ３５において、表示制御部３１１は、タッチパネルモニタ９２に編集画面を表示させる。
【０１３１】
ステップＳ３６において、入力受付部３１２は、編集部２０９のタブレット内蔵モニタ１３１やタッチペン１３２Ａ，１３２Ｂを制御し、利用者からの編集対象画像の選択指示および落書き編集入力の受け付けを開始する。
【０１３２】
ステップＳ３７において、入力受付部３１２は、タブレット内蔵モニタ１３１より供給される入力信号（すなわち、タブレット内蔵モニタ１３１やタッチペン１３２Ａ，１３２Ｂにより受け付けられた位置情報）に基づいて、利用者による指示が入力されたか否かを判定する。利用者等によりタッチペン１３２Ａ，１３２Ｂが操作され、タブレット内蔵モニタ１３１に表示された編集画面に対して、位置情報が入力されたと判定された場合、処理はステップＳ３８に進み、編集処理部３０２は、入力座標に基づいて入力された指示内容を把握し、その指示に対応する処理を行う。
【０１３３】
例えば、合成処理部３１３は、利用者により、落書き編集の対象となる編集対象画像を編集用に大きく表示したり、合成用画像の合成指示に基づいて合成用画像を編集対象画像に合成し、その結果得られる合成画像を表示したりする。ここでは、利用者の指示に応じて、メイクアップスタンプを編集対象画像に合成する処理も行われる。
【０１３４】
入力に対応する処理が終了すると、処理はステップＳ３９に進む。なお、ステップＳ３７において指示が入力されていないと判定された場合、ステップＳ３８はスキップされ、処理はステップＳ３９に進む。
【０１３５】
ステップＳ３９において、編集処理部３０２は、所定の時間（制限時間）が経過したか、または、編集画面上に設けられている終了ボタンが操作されたか否かを判定し、制限時間にも達しておらず、終了ボタンも操作されていないと判定された場合、処理はステップＳ３７に戻り、それ以降の処理が繰り返される。そして、ステップＳ３９において、所定の時間が経過した、または、終了ボタンが操作されたと判定された場合、処理はステップＳ４０に進む。
【０１３６】
ステップＳ４０において、表示制御部３１１は、分割数選択画面をタブレット内蔵モニタ１３１に表示させる。分割数選択画面には、最終的に出力されるシール紙における、編集済み画像の配置を決定するためのシールレイアウトが表示される。
【０１３７】
分割数選択画面から所定のシールレイアウトが選択されると、ステップＳ４１において、入力受付部３１２は、シールレイアウトの選択を受け付け、編集処理部３０２は、利用者により選択されたシールレイアウトのシール紙イメージを、合成画像（編集済み画像）とともに記憶部２０２に記憶させる。その後、図１１のステップＳ４に戻り、それ以降の処理が行われる。
【０１３８】
以上のような編集処理により編集作業は行われる。
【０１３９】
［メイクアップスタンプ合成処理について］
次に、図１３のフローチャートを参照して、画像編集装置としての写真シール作成装置１によって実行され、図１２の編集処理のステップＳ３８において実行されるメイクアップスタンプ合成処理について説明する。
【０１４０】
図１３に示されるメイクアップスタンプ合成処理は、表示制御部３１１の制御によってタブレット内蔵モニタ１３１に表示される編集画面の中の編集用パレットにおいて、編集機能毎に表示されるタブの中から、メイクアップスタンプを提供するためのタブが選択されると開始される。
【０１４１】
図１４は、メイクアップスタンプ合成処理が実行されるときの編集画面の例を示す図である。編集画面は、主な構成が、一部を除き左右に２つずつ設けられているが、図１４に示される編集画面４０１は、タブレット内蔵モニタ１３１に表示される編集画面の左半分のみを示している。
【０１４２】
編集対象画像表示領域４１１には、タブレット内蔵モニタ１３１に対して左側の利用者が選択した編集対象画像が表示される。
【０１４３】
編集対象画像表示領域４１１の左側には、サーバに送信する画像の編集を行うときに操作されるケータイおまけボタン４１２と、編集対象画像に対して、所定の落書き編集入力を１回の操作で行うときに操作される一発らくがきボタン４１３が表示される。
【０１４４】
ケータイおまけボタン４１２が操作されると、ケータイおまけ（携帯端末用の待受画像や、メールやブログ等のテキストデータに添付される装飾画像である）の作成を行うことができる。また、一発らくがきボタン４１３が操作されると、複数の合成用画像が合成された編集済み画像を１回の操作で作成することができる。
【０１４５】
編集対象画像表示領域４１１の下側には、編集対象画像表示領域４１１に表示されている編集対象画像に対して、落書き編集入力を行うための編集機能を提供する編集ツールを利用者に選択させるための編集用パレット４１４が表示されている。
【０１４６】
編集用パレット４１４には、編集ツールが、「おすすめ」、「ペン」、「スタンプ」、「フォント」、「メイクアップ」といったカテゴリ毎のタブで表示されるようになされており、図１４の例では、「メイクアップ」タブが選択されている。
【０１４７】
さらに、図１４に示されるように、「メイクアップ」タブには、編集ツールが、「リップ」、「アイライン」、「つけま」、「カラコン」、「チーク」、「ヘアカラー」、「アクセ」、「いたずら」、「かおかくし用」といった、メイクアップスタンプの種類毎のメイクアップスタンプタブで表示されるようになされている。なお、実際には、「アクセ」、「いたずら」、および「かおかくし用」には、メイクアップスタンプは含まれず、「リップ」、「アイライン」、「つけま」、「カラコン」、「チーク」、および「ヘアカラー」に、メイクアップスタンプが含まれる。
【０１４８】
ここで、図１３のフローチャートのステップＳ６１において、入力受付部３１２が、メイクアップスタンプタブの選択を受け付けると、ステップＳ６２において、表示制御部３１１が、選択されたメイクアップスタンプタブに、その種類のメイクアップスタンプを表示させるとともに、拡大画像表示制御部３２１が、選択されたメイクアップスタンプに対応する拡大画像を表示させる。つまり、メイクアップスタンプタブが選択されると、選択されたメイクアップスタンプタブに対応する拡大画像が自動で表示されるので、利用者は、拡大する範囲や位置を指定するといった操作を行う必要はない。
【０１４９】
図１４の例では、編集用パレット４１４において、「つけま」タブが選択されている。
【０１５０】
「つけま」タブが選択されている編集用パレット４１４には、つけま画像４２１、モデル画像４２２、拡大画像再表示ボタン４２３、回転ボタン４２４、およびサイズ変更ボタン４２５が表示されている。
【０１５１】
つけま画像４２１は、つけまつげを模したメイクアップスタンプの１つであり、編集対象画像における利用者の目の部分に合成される合成用画像である。モデル画像４２２は、つけま画像４２１に対応するつけまつげが施されるモデルの目近傍のアップ画像である。
【０１５２】
拡大画像再表示ボタン４２３は、後述する拡大画像４３１が閉じられたとき、再度拡大画像４３１を表示させるためのボタンである。拡大画像再表示ボタン４２３には、編集対象画像表示領域４１１に表示されている編集対象画像において、選択されているメイクアップスタンプの種類（この場合、「つけま」）に対応する領域（この場合、つけま画像４２１の合成対象（貼り付け対象）となる目を含む領域）を利用者に提示する画像が表示されている。
【０１５３】
なお、拡大画像再表示ボタン４２３が操作されることによって、拡大画像４３１が再表示される以外にも、つけま画像４２１のいずれか１つが選択されることによって、拡大画像４３１が再表示されるようにしてもよい。
【０１５４】
回転ボタン４２４は、編集用パレット４１４に表示されているつけま画像４２１を回転させるためのボタンであり、サイズ変更ボタン４２５は、編集用パレット４１４に表示されているつけま画像４２１のサイズを変更させるためのボタンである。
【０１５５】
また、編集対象画像表示領域４１１に表示されている編集対象画像上には、編集対象画像において、選択されたメイクアップスタンプの種類に対応する領域、すなわち、つけま画像４２１の合成対象（貼り付け対象となる）目を含む領域を拡大した拡大画像４３１が表示される。図１４においては、編集対象画像における２人の利用者それぞれの目を含む領域を拡大した拡大画像４３１が表示されている。
【０１５６】
編集対象画像において、選択されたメイクアップスタンプの種類に対応する領域、すなわち、その種類のメイクアップスタンプの合成対象となる領域を、以下、拡大対象領域ということとすると、拡大画像表示制御部３２１は、編集対象画像の拡大対象領域上に、拡大画像４３１を重畳させて表示させる。
【０１５７】
図１４の例においては、拡大対象領域は、編集対象画像における利用者の目を含む領域とされるが、この位置（拡大画像４３１の初期表示位置）は、編集対象画像表示領域４１１において、利用者の目が表示されると予測される位置であってもよいし、顔認識処理によって利用者の目が検出された位置であってもよい。
【０１５８】
また、拡大画像４３１の幅（横方向の長さ）は、編集対象画像表示領域４１１の幅より大きい幅とされ、拡大画像４３１の高さ（縦方向の長さ）は、拡大対象領域に含まれる顔の器官（この場合、目）の高さより大きい高さとされる。
【０１５９】
このように、拡大画像４３１の幅を、編集対象画像表示領域４１１の幅より大きくすることで、複数（例えば２人）の利用者の目を、１つの拡大画像４３１に表示させることができる
【０１６０】
ここで、図１５を参照して、拡大画像の詳細について説明する。
【０１６１】
図１５に示されるように、拡大画像４３１は、操作アイコン表示領域４４１と、閉じるボタン４４２とを有する。
【０１６２】
操作アイコン表示領域４４１には、拡大画像４３１として表示される拡大対象領域の拡大率を変更するためのアイコン４４１ａ、拡大画像４３１上に表示された合成用画像（メイクアップスタンプ）を回転するためのアイコン４４１ｂ、および、サイズを変更するためのアイコン４４１ｃが表示される。
【０１６３】
アイコン４４１ａが操作されると、拡大画像４３１として表示される拡大対象領域の拡大率が変化する。例えば、図１５に示される拡大画像４３１として表示される拡大対象領域の拡大率125％をデフォルトの拡大率とした場合、アイコン４４１ａが操作されることによって、図１６Ａに示されるように、拡大率を150％としたり、図１６Ｂに示されるように、拡大率を175％としたり、図１６Ｃに示されるように、拡大率を200％とすることができる。
【０１６４】
これにより、メイクアップスタンプの貼り付け対象を、利用者が編集しやすい大きさに調整することができ、編集作業を容易にすることができる。
【０１６５】
なお、図１５に示されるように、操作アイコン表示領域４４１は、拡大画像４３１の画像表示領域の外側に設けられているので、拡大画像領域が隠れることなく表示されるようになる。なお、拡大画像４３１の画像表示領域の大きさに余裕がある場合には、操作アイコン表示領域４４１を、拡大画像４３１の画像表示領域の内側に設けるようにしてもよい。
【０１６６】
また、拡大画像４３１は、その一部がタッチペン１３２Ａまたは１３２Ｂによって上下方向にドラッグされることによって、上下方向（高さ方向）に移動される。このとき、拡大画像４３１の上下方向の移動に応じて、その方向に、拡大画像４３１として表示される拡大対象領域が移動（変化）する。
【０１６７】
これにより、例えば、２人の利用者それぞれの身長差が大きい場合であっても、拡大画像４３１（拡大対象領域）を、利用者それぞれの目の位置に合わせることができる。この場合、編集画面４０１において、拡大画像４３１の初期表示位置を、身長の高い方の利用者の目の位置に合わせるようにしてもよいし、それぞれの利用者の身長を平均した高さを基準にした位置に合わせるようにしてもよい。
【０１６８】
なお、拡大画像４３１は、その一部がタッチペン１３２Ａまたは１３２Ｂによって左右方向にドラッグされた場合、左右方向（幅方向）には移動されないものとするが、拡大画像４３１として表示される拡大対象領域が、左右方向に移動（スクロール）されるものとする。
【０１６９】
これにより、拡大画像４３１において、利用者の目の位置が左右いずれかに偏ってしまった場合でも、拡大画像４３１における目の位置を適切な位置とすることができる。
【０１７０】
また、拡大画像４３１は、初期表示位置から上下方向にも左右方向にも移動されないようにし、その固定された位置で、その一部がタッチペン１３２Ａまたは１３２Ｂによってドラッグされた方向に、拡大画像４３１内に表示される拡大対象領域が移動（スクロール）されるようにしてもよい。
【０１７１】
このようにして、拡大画像４３１の位置、および、拡大画像４３１内に表示される拡大対象領域の位置が決定されると、利用者によって、編集用パレット４１４に表示されているつけま画像４２１のいずれかが選択される。すなわち、ステップＳ６３において、入力受付部３１２は、メイクアップスタンプの選択を受け付ける。なお、メイクアップスタンプの選択を受け付けた後、拡大画像４３１の位置が固定（決定）されるようにしてもよい。
【０１７２】
そして、利用者によりタッチペン１３２Ａまたは１３２Ｂによって拡大画像４３１の一部がタップされると、ステップＳ６４において、合成用画像表示制御部３２２は、選択されたメイクアップスタンプを、拡大画像４３１上に表示させる。
【０１７３】
図１７は、拡大画像４３１上に表示されるメイクアップスタンプの例を示している。
【０１７４】
図１７の例では、拡大画像４３１における右側の利用者の目の近傍に、利用者によって選択されたつけま画像４５１が表示されている。この状態では、つけま画像４５１は、タッチペン１３２Ａまたは１３２Ｂによって拡大画像４３１上の任意の位置に移動、配置される。
【０１７５】
ここで、アイコン４４１ｂが操作されると、拡大画像４３１上に表示されたつけま画像４５１が回転して表示され、アイコン４４１ｃが操作されると、つけま画像４５１が拡大または縮小して表示される。
【０１７６】
これにより、メイクアップスタンプの貼り付け対象の向きや大きさに応じて、メイクアップスタンプを適切な向きや大きさで貼り付けることができるようになる。
【０１７７】
また、この状態では、つけま画像４５１は、半透明な状態（例えば透過率50％）で表示されており、つけま画像４５１の近傍に表示されている、つけま画像４５１の向きや大きさ、貼り付け位置を確定するＯＫボタン４５２が押下されることで、つけま画像４５１が非透明な状態（透過率０％）で表示される。
【０１７８】
すなわち、ステップＳ６５においては、入力受付部３１２によって、合成が指示されたか否かが判定され、合成が指示されたと判定された場合（すなわち、ＯＫボタン４５２が押下された場合）、処理はステップＳ６６に進む。合成が指示されていないと判定された場合（すなわち、ＯＫボタン４５２が押下されていない場合）は、合成が指示される（ＯＫボタン４５２が押下される）まで、ステップＳ６５の処理が繰り返される。
【０１７９】
なお、メイクアップスタンプは、拡大画像４３１上において、タッチペン１３２Ａまたは１３２Ｂによってアイコン４４１ｂ，４４１ｃが操作されることで、その向きや大きさが変更されるため、利用者がタッチペン１３２Ａまたは１３２Ｂを画面から離すことで、メイクアップスタンプの貼り付け位置を決定させることはできない。そこで、利用者に、メイクアップスタンプの向きや大きさ、貼り付け位置を確定させるために、ＯＫボタン４５２が設けられる。
【０１８０】
ステップＳ６６において、合成処理部３１３は、貼り付け位置が決定されたメイクアップスタンプを、編集対象画像の拡大対象領域の対応する位置に合成する。ここで、拡大画像４３１は、拡大対象領域が拡大された画像であるので、拡大画像４３１においても、対応する位置にメイクアップスタンプが合成されて表示される。
【０１８１】
ここで、拡大画像４３１の閉じるボタン４４２が操作されると、拡大画像４３１が閉じられ（非表示とされ）、編集対象画像表示領域４１１の編集対象画像が全て表示されるようになる。これにより、利用者は、メイクアップスタンプが合成された編集対象画像の全体を確認することができ、メイクアップスタンプを貼り付けた編集対象画像の出来栄えを把握することができる。
【０１８２】
また、拡大画像４３１が非表示とされた状態で、編集用パレット４１４の拡大画像再表示ボタン４２３が選択されることで、再度、拡大画像４３１が表示される。このとき、拡大画像４３１が表示される位置は、編集対象画像の拡大対象領域上の位置（初期表示位置）であってもよいし、拡大画像４３１が非表示とされる前に表示されていた位置であってもよい。
【０１８３】
なお、閉じるボタン４４２が操作される以外にも、他のメイクアップスタンプタブ（この場合、「つけま」以外のメイクアップスタンプタブ）が選択されることによっても、拡大画像４３１が非表示とされるものとする。
【０１８４】
以上の処理によれば、編集対象画像における利用者の目に、つけまつげを模したメイクアップスタンプを貼り付ける際、メイクアップスタンプを選択したときに、そのメイクアップスタンプの貼り付け対象となる利用者の目を含む領域が拡大されて表示されるようになる。すなわち、利用者は、拡大する領域を選択する作業を行うことなく、拡大された領域の所望の位置に容易にスタンプ画像を貼り付けることができ、より簡単に、自由度の高い編集作業を行うことが可能となる。
【０１８５】
以上においては、メイクアップスタンプタブとして、「つけま」タブが選択された場合の例について説明したが、他のメイクアップスタンプタブが選択された場合であっても、同様にしてメイクアップスタンプ合成処理が行われる。
【０１８６】
図１８は、編集用パレット４１４において、「アイライン」タブが選択されている編集画面４０１の例を示している。
【０１８７】
「アイライン」タブが選択されている編集用パレット４１４には、アイライン画像５２１、モデル画像５２２、拡大画像再表示ボタン５２３、回転ボタン５２４、およびサイズ変更ボタン５２５が表示されている。なお、拡大画像再表示ボタン５２３、回転ボタン５２４、およびサイズ変更ボタン５２５は、図１４における拡大画像再表示ボタン４２３、回転ボタン４２４、およびサイズ変更ボタン４２５と同様の機能を有するので、その説明は省略する。
【０１８８】
アイライン画像５２１は、アイラインを模したメイクアップスタンプの１つであり、編集対象画像の利用者の目の部分に合成される合成用画像である。アイライン画像５２１としては、アイライン画像５２１の色を決定するために選択されるアイライン色画像と、アイライン画像５２１の形状を決定するために選択されるアイライン形状画像とが表示されている。モデル画像５２２はアイライン画像５２１に対応するアイラインが施されるモデルの目近傍のアップ画像である。
【０１８９】
また、編集対象画像表示領域４１１に表示されている編集対象画像上には、編集対象画像において、選択されたメイクアップスタンプの種類に対応する領域、すなわち、アイライン画像５２１の貼り付け対象となる目を含む領域を拡大した拡大画像４３１が表示される。
【０１９０】
図１９は、編集用パレット４１４において、「カラコン」タブが選択されている編集画面４０１の例を示している。
【０１９１】
「カラコン」タブが選択されている編集用パレット４１４には、カラコン画像５３１、モデル画像５３２、拡大画像再表示ボタン５３３、およびサイズ変更ボタン５３５が表示されている。なお、拡大画像再表示ボタン５３３およびサイズ変更ボタン５３５は、図１４における拡大画像再表示ボタン４２３およびサイズ変更ボタン４２５と同様の機能を有するので、その説明は省略する。
【０１９２】
カラコン画像５３１は、カラーコンタクトレンズを模したメイクアップスタンプの１つであり、編集対象画像の利用者の目の部分に合成される合成用画像である。モデル画像５３２は、カラコン画像５３１に対応するカラーコンタクトレンズが施されるモデルの目近傍のアップ画像である。
【０１９３】
また、編集対象画像表示領域４１１に表示されている編集対象画像上には、編集対象画像において、選択されたメイクアップスタンプの種類に対応する領域、すなわち、カラコン画像５３１の貼り付け対象となる目を含む領域を拡大した拡大画像４３１が表示される。
【０１９４】
なお、カラコン画像５３１は、その形状が円形であり、回転させても形状は変わらないため、「カラコン」タブが選択されている編集用パレット４１４および操作アイコン表示領域４４１に、回転ボタンは表示されない。
【０１９５】
以上のような例においても、編集対象画像における利用者の目に、アイラインやカラーコンタクトレンズを模したメイクアップスタンプを貼り付ける際、メイクアップスタンプを選択したときに、そのメイクアップスタンプの貼り付け対象となる利用者の目を含む領域が拡大されて表示されるようになるので、利用者は、より簡単に、自由度の高い編集作業を行うことが可能となる。
【０１９６】
図２０は、編集用パレット４１４において、「チーク」タブが選択されている編集画面４０１の例を示している。
【０１９７】
「チーク」タブが選択されている編集用パレット４１４には、チーク画像５４１、モデル画像５４２、拡大画像再表示ボタン５４３、回転ボタン５４４、およびサイズ変更ボタン５４５が表示されている。なお、拡大画像再表示ボタン５４３、回転ボタン５４４、およびサイズ変更ボタン５４５は、図１４における拡大画像再表示ボタン４２３、回転ボタン４２４、およびサイズ変更ボタン４２５と同様の機能を有するので、その説明は省略する。
【０１９８】
チーク画像５４１は、チークを模したメイクアップスタンプの１つであり、編集対象画像の利用者の頬の部分に合成される合成用画像である。チーク画像５４１としては、チーク画像５４１の色を決定するために選択されるチーク色画像と、チーク画像５４１の形状を決定するために選択されるチーク形状画像とが表示されている。モデル画像５４２は、チーク画像５４１に対応するチークが施されるモデルの頬近傍のアップ画像である。
【０１９９】
また、編集対象画像表示領域４１１に表示されている編集対象画像上には、編集対象画像において、選択されたメイクアップスタンプの種類に対応する領域、すなわち、チーク画像５４１の貼り付け対象となる頬を含む領域を拡大した拡大画像４３１が表示される。
【０２００】
以上の例においても、編集対象画像における利用者の頬に、チークを模したメイクアップスタンプを貼り付ける際、メイクアップスタンプを選択したときに、そのメイクアップスタンプの貼り付け対象となる利用者の頬を含む領域が拡大されて表示されるようになるので、利用者は、より簡単に、自由度の高い編集作業を行うことが可能となる。
【０２０１】
特に、従来は、編集対象画像に対してチーク画像を貼り付けた場合、利用者は、編集対象画像における利用者の頬の部分とチーク画像とのなじみ具合を細かく確認することができなかったが、本発明によれば、チーク画像の貼り付け対象となる利用者の頬を含む領域が拡大されて表示されるので、編集対象画像における利用者の頬の部分とチーク画像とのなじみ具合を細かく確認しながら、編集作業を行うことができるようになる。
【０２０２】
また、図示はしないが、編集用パレット４１４において、「リップ」タブが選択された場合には、リップを模したリップ画像の貼り付け対象となる利用者の唇を含む領域が拡大されて表示されるようになる。
【０２０３】
これにより、利用者は、編集対象画像に貼り付けられるリップ画像を細部にわたって容易に確認することができるようになる。
【０２０４】
また、従来は、編集対象画像に対してリップ画像を貼り付けた場合、リップ画像の赤色がにじんでしまったり、利用者が口を開けて撮影された場合には、口の中（舌や歯）にもリップ画像が合成されてしまっても、利用者は、合成されたリップ画像の余分な部分を詳細に確認することができなかった。
【０２０５】
一方、本発明においては、リップ画像の貼り付け対象となる利用者の唇を含む領域が拡大されて表示されるので、利用者は、合成されたリップ画像の余分な部分を詳細に確認することができるようになり、その部分を消しゴム機能により消去することで、より見栄えのよい画像を得ることができるようになる。
【０２０６】
さらに、編集用パレット４１４において、「ヘアカラー」タブが選択された場合には、ヘアカラーを模した色画像の貼り付け対象となる利用者の頭もしくは髪の毛を含む領域が拡大されて表示されるようになる。
【０２０７】
従来は、編集対象画像に対してヘアカラーを模した色画像をタッチペンによって塗った場合、塗り残しや塗りムラがあっても、利用者は、それを詳細に確認することができなかった。
【０２０８】
一方、本発明においては、色画像の貼り付け対象となる利用者の頭を含む領域が拡大されて表示されるので、利用者は、塗り残しや塗りムラを確認することができるようになり、塗り残しや塗りムラがないように編集作業を行うことで、より見栄えのよい画像を得ることができるようになる。
【０２０９】
その他、図示はされないが、編集用パレット４１４において、「ハイライト」タブ、「シェーディング」タブ、「ファンデーション」タブ等を用意し、それらのメイクアップスタンプの貼り付け対象となる利用者の顔全体を含む領域が拡大されて表示されるようにしてもよい。
【０２１０】
「ハイライト」タブが選択された場合、編集用パレット４１４には、編集対象画像における利用者の顔全体または一部を、所定の色で明るくするための編集ツールが表示され、「シェーディング」タブが選択された場合、編集用パレット４１４には、編集対象画像における利用者の顔全体または一部を、所定の色で影をつけるための編集ツールが表示される。また、「ファンデーション」タブが選択された場合、編集用パレット４１４には、編集対象画像における利用者の顔全体を、所定の色で均一にするための編集ツールが表示される。
【０２１１】
このような例においても、メイクアップスタンプの貼り付け対象となる利用者の顔全体を含む領域が拡大されて表示されるようになるので、利用者は、より簡単に、自由度の高い編集作業を行うことが可能となる。
【０２１２】
［変形例］
以上においては、拡大画像４３１内に表示される拡大対象領域は、左右方向のみにスクロールされるものとしたが、左右方向に加え、上下方向にもスクロール可能とされるようにしてもよい。この場合、図２１に示されるように、操作アイコン表示領域４４１において、十字移動ボタン４４１ｄを新たに表示させ、十字移動ボタン４４１ｄが操作されることによって、拡大画像４３１内に表示される拡大対象領域が、上下左右にスクロールされるようにする。
【０２１３】
ところで、利用者が２人であれば、利用者の顔が横に並ぶように撮影が行われるため、編集対象画像（撮影画像）における利用者それぞれの顔や顔の器官（例えば目）の高さ方向（縦方向）の位置に大きな差は生じないため、上述した例のように、２人の目を含む拡大画像を表示することができる。
【０２１４】
一方、利用者が４人等の大人数の場合、利用者の顔が縦にも並ぶように撮影が行われることがある。この場合、編集対象画像（撮影画像）における利用者それぞれの顔や顔の器官の高さ方向の位置が大きく離れてしまうため、高さ方向に複数の拡大画像が表示されるようにしてもよい。
【０２１５】
この場合、編集画面４０１の左右にそれぞれ１本ずつ設けられるタッチペンを複数本にするようにしてもよい。これにより、利用者は、複数の拡大画像に対して、同時に編集作業を行うことが可能となる。
【０２１６】
また、利用者が４人等の大人数の場合、高さ方向に複数の拡大画像を表示させずに、全ての利用者の顔や顔の器官を含むような拡大画像が表示されるようにしてもよい。この場合、拡大画像は、上述した例のような横長の形状ではなく縦長の形状となるが、その拡大画像を、編集対象画像が表示される編集対象画像表示領域４１１と略同一の大きさとし、編集対象画像の略全体を覆うように表示するようにしてもよい。
【０２１７】
この場合、拡大画像として表示される拡大表示領域は、編集対象画像の略全体と等しくなるが、まず、拡大率を編集対象画像と同等（100％）として、アイコン４４１ａが操作されることで、拡大率が変更されるようにしてもよい。また、拡大画像の一部がタッチペン１３２Ａまたは１３２Ｂによってドラッグされた場合、拡大画像内に表示される拡大対象領域が、対応する方向に移動（スクロール）されるようにする。
【０２１８】
なお、拡大画像の大きさは、その形状によらず、編集対象画像表示領域４１１の大きさを超えない範囲に設定されるものとする。
【０２１９】
さらに、編集対象画像における利用者毎に拡大画像が表示されるようにしてもよい。従来は、利用者毎に拡大画像を表示させる際、利用者に拡大させる領域を選択させる必要があったが、本発明によれば、利用者に拡大させる領域を選択させる必要なく、より簡単に編集作業を行うことができる。なお、利用者毎の拡大画像は、例えば、編集対象画像表示領域４１１に表示される編集対象画像における利用者のうち、選択された利用者の拡大画像を表示させたり、利用者を選択させるボタンを設け、そのボタンが操作されることで、そのボタンに対応する利用者の拡大画像を表示させるようにすることができる。
【０２２０】
また、以上においては、アイコン４４１ｂが操作されることで、拡大画像４３１上に表示されたメイクアップスタンプが回転されるものとしたが、奥行きが感じられるように回転可能な奥行きメイクアップスタンプを用意しておき、拡大画像４３１における利用者の顔の向き、目の幅や顔の左右の幅に応じた奥行きメイクアップスタンプを合成させるようにしてもよい。
【０２２１】
さらに、拡大画像４３１の大きさを十分大きくしたり、操作アイコン表示領域４４１の大きさを十分大きくすることで、一度利用者に選択されたメイクアップスタンプや、それに類似するメイクアップスタンプ（例えば、最初に選択されたつけま画像が上まつげ用であれば、下まつげ用等）を、拡大画像４３１や操作アイコン表示領域４４１に表示させるようにしてもよい。類似するメイクアップスタンプは、表示される領域の大きさに応じて、複数表示されてもよいし、１つのみ表示されるようにしてもよい。
【０２２２】
これにより、利用者は、拡大画像に対する編集時に、編集用パレット４１４を確認することなく、より簡単に、編集作業を行うことができるようになる。
【０２２３】
また、以上においては、拡大画像４３１上に表示されたメイクアップスタンプは、利用者の操作によって、その貼り付け位置が決定されるものとしたが、編集対象画像における利用者の顔の器官を顔認識処理により検出し、対応する器官の位置に貼り付けるようにしてもよい。例えば、利用者によってつけま画像が選択された場合には、編集対象画像における利用者の目を検出し、その目の位置につけま画像が合成されるようにし、利用者によってリップ画像が選択された場合には、編集対象画像における利用者の唇を検出し、その唇の位置につけま画像が合成されるようにする。
【０２２４】
これにより、利用者は、拡大画像４３１において、メイクアップスタンプの貼り付け位置を調整する必要がなくなり、さらに簡単に、編集作業を行うことができるようになる。
【０２２５】
さらに、以上においては、拡大画像４３１の形状は、矩形であるものとしたが、楕円形状など、メイクアップスタンプの貼り付け対象となる顔の全体または一部（器官）が含まれる形状であればよい。
【０２２６】
また、拡大画像４３１の形状を、そのメイクアップスタンプの貼り付け対象となる顔の全体または一部（器官）のみを含む形状、すなわち、顔の全体または一部（器官）の輪郭に沿った形状とするようにしてもよい。
【０２２７】
これにより、利用者は、メイクアップスタンプの貼り付け対象となる部位をより明確に把握して、編集作業を行うことができるようになる。
【０２２８】
また、以上においては、アイコン４４１ａが操作されることで、拡大画像４３１として表示される拡大対象領域の拡大率が変更されるものとしたが、利用者に選択されたメイクアップスタンプタブ（メイクアップスタンプの種類）に応じて、拡大率が変更されるようにしてもよい。例えば、「アイライン」タブが選択された場合には、拡大率を大きくしたり、「チーク」タブが選択された場合には、拡大率を小さくしたり、または、拡大しないようにしてもよい。さらに、顔認識処理により顔の大きさを検知し、検知された顔の大きさに応じて、拡大率が変更されるようにしてもよい。
【０２２９】
これにより、メイクアップスタンプの貼り付け対象を、より適切な大きさに調整することができ、編集作業を容易にすることができる。
【０２３０】
さらに、以上においては、利用者が４人等の大人数の場合に、拡大画像を、編集対象画像が表示される編集対象画像表示領域４１１と同一の大きさとして、編集対象画像の全体を覆うように表示するようにしてもよいとしたが、利用者の人数にかかわらず、例えば、利用者が２人であっても、拡大画像を編集対象画像表示領域４１１と同一の大きさとするようにしてもよい。
【０２３１】
この場合、拡大対象領域は、例えば、顔認識処理によって利用者の目が検出された位置を中心とした領域とする。また、顔認識処理を行わない場合には、拡大対象領域は、利用者の目が表示されると予測される位置を中心とした領域としてもよい。さらに、例えば、「ハイライト」タブ、「シェーディング」タブ、「ファンデーション」タブが選択された場合には、利用者の顔全体または一部に対して用いられる編集ツールが選択されるので、拡大対象領域は、利用者の顔全体または一部を含む領域とする。
【０２３２】
なお、ここでも、利用者毎に拡大画像が表示されるようにしてもよいし、複数の利用者の顔や顔の器官（目や口等）を含むような拡大画像が表示されるようにしてもよい。
【０２３３】
また、この場合、例えば図１５を参照して説明したように、拡大画像４３１上に表示されたメイクアップスタンプを回転するためのアイコン４４１ｂや、サイズを変更するためのアイコン４４１ｃは、拡大画像４３１の画像表示領域の外側に設けられた操作アイコン表示領域４４１に表示されるものとしたが、拡大画像４３１内に表示されるようにしてもよい。
【０２３４】
ここで、アイコン４４１ｂが操作された場合には、メイクアップスタンプは、その重心を中心として回転するものとする。また、アイコン４４１ｃとして、拡大ボタンと縮小ボタンとが別個に表示されるようにし、それぞれのボタンが操作されることで、メイクアップスタンプの拡大／縮小が行われるようにしてもよい。
【０２３５】
具体的には、利用者の操作によって、タッチペン１３２Ａおよび１３２Ｂのいずれか一方または両方を用いて編集用パレット４１４に表示されているメイクアップスタンプが選択され、さらに拡大画像４３１上の所定位置がタップされたとき、その位置に、選択されたメイクアップスタンプが表示されるとともに、表示されたメイクアップスタンプの近傍にアイコン４４１ｂとアイコン４４１ｃがポップアップ表示されるようにする。
【０２３６】
この場合、操作アイコン表示領域４４１は、例えば、拡大画像４３１内の右上隅に設けられ、操作アイコン表示領域４４１には、拡大対象領域の拡大率を変更するためのアイコン４４１ａが、閉じるボタン４４２とともに表示されるようにする。
【０２３７】
ここで、拡大画像４３１上で、アイコン４４１ｂとアイコン４４１ｃとがポップアップ表示される位置（以下、ポップアップ表示位置という）は、例えば、メイクアップスタンプが表示された位置より下方とされる。
【０２３８】
なお、拡大画像４３１上でのメイクアップスタンプの表示位置によっては、ポップアップ表示位置は、利用者にとってアイコン４４１ｂやアイコン４４１ｃが操作しやすい位置とされる。例えば、メイクアップスタンプの表示位置が、拡大画像４３１上の左端近傍である場合、ポップアップ表示位置は、メイクアップスタンプの表示位置の右下とされ、メイクアップスタンプの表示位置が、拡大画像４３１上の右端近傍である場合、ポップアップ表示位置は、メイクアップスタンプの表示位置の左下とされる。また仮に、メイクアップスタンプの表示位置が、拡大画像４３１上の下端近傍である場合には、ポップアップ表示位置は、メイクアップスタンプの表示位置の上方とされるようにしてもよい。
【０２３９】
また、上述の状態では、メイクアップスタンプの向きや大きさ、貼り付け位置は確定されておらず、他の合成用画像（メイクアップスタンプ）が選択されるか、他のタブが選択されるか、または、閉じるボタン４４２が操作されることで、メイクアップスタンプの向きや大きさ、貼り付け位置が確定される。
【０２４０】
ここでも、閉じるボタン４４２が操作されることで、編集対象画像表示領域４１１に重畳表示されている拡大画像４３１は閉じられ（非表示とされ）、編集対象画像表示領域４１１の編集対象画像が全て表示されるようになる。
【０２４１】
なお、拡大画像４３１は、同一の大きさで編集対象画像表示領域４１１に重畳表示されるものとしたが、編集対象画像表示領域４１１において、編集対象画像と拡大画像とが切り替わって表示されるようにしてもよい。この場合、拡大画像として、編集対象画像において、顔認識処理によって検出された利用者の顔や顔の器官（目や口等）を中心とした領域が拡大された画像を生成し、閉じるボタン４４２や拡大画像再表示ボタン４２３が操作されることによって、編集対象画像と拡大画像とが切り替わって表示されるようにする。なお、拡大画像として、別途、画像を生成せずに、編集対象画像そのものを、利用者の顔や顔の器官（目や口等）を中心に拡大（ズームイン）したものを拡大画像として表示させてもよい。
【０２４２】
［利用者の立ち位置について］
ところで、利用者が２人の場合、編集処理において表示される編集対象画像（撮影画像）における利用者（被写体）の配置は、撮影処理において利用者が撮影を行う際の立ち位置と左右反転する。例えば、撮影処理において、カメラ９１に向かって右側に利用者Ａが、左側に利用者Ｂが立った状態で撮影が行われた場合、編集処理において、タブレット内蔵モニタ１３１に表示される編集対象画像においては、その左側に利用者Ａが、右側に利用者Ｂが配置される（写る）ようになる。
【０２４３】
しかしながら、タブレット内蔵モニタ１３１に向かう利用者の立ち位置は、撮影時と同じであることが多く、編集時の利用者の立ち位置と、編集対象画像における利用者の配置とは左右逆になってしてしまう。
【０２４４】
そこで、本発明の写真シール作成ゲームにおいては、編集時の利用者の立ち位置に応じて、具体的には、利用者の立ち位置を予測することで、拡大画像に表示される拡大対象領域が設定されるようにする。
【０２４５】
例えば、タブレット内蔵モニタ１３１に向かって左側にいる利用者が利用するタッチペン１３２Ａが用いられた場合、すなわち、タブレット内蔵モニタ１３１に表示される編集画面の左半分において編集作業が行われている場合、拡大対象領域は、編集対象画像の右側（例えば右半分）において、例えば、右側に写る利用者の目が表示されると予測される位置や、顔認識処理によって右側に写る利用者の目が検出された位置を中心とした領域とされる。
【０２４６】
また、タブレット内蔵モニタ１３１に向かって右側にいる利用者が利用するタッチペン１３２Ｂが用いられた場合、すなわち、タブレット内蔵モニタ１３１に表示される編集画面の右半分において編集作業が行われている場合、拡大対象領域は、編集対象画像の左側（例えば左半分）において、例えば、左側に写る利用者の目が表示されると予測される位置や、顔認識処理によって左側に写る利用者の目が検出された位置を中心とした領域とされる。
【０２４７】
これにより、利用者は、拡大対象領域を移動させる操作をすることなく、編集対象画像における利用者自身の目や口等に対して、容易にスタンプ画像を貼り付けることができるようになる。
【０２４８】
なお、上述した写真シール作成ゲームでは、撮影処理部３０１によって行われる撮影処理において、撮影前または撮影後に、利用者は撮影コースを選択することで、被写体の写りを選択することができる。具体的には、被写体の写りは、撮影画像に写る被写体の色味（色の感じ）や色の濃度を決定するものであり、例えば、「ナチュラル」、「パーフェクト」等が用意されている。
【０２４９】
そして、編集処理において利用される合成用画像（メイクアップスタンプを含む）は、撮影処理において利用者によって選択された撮影コース（被写体の写り）に応じて、その色味や色合いが異なるようになされる。
【０２５０】
これにより、編集が施された編集済み画像は、合成用画像が合成された感じのない、自然な仕上がりの画像となる。
【０２５１】
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２５２】
この記録媒体は、例えば、図８に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク、もしくは半導体メモリ等よりなるリムーバブルメディア２０５により構成されるだけでなく、装置本体に予め組み込まれた状態で管理者に配信される、プログラムが記録されているROM２０６や、記憶部２０２に含まれるハードディスク等で構成される。  
【０２５３】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２５４】
以上において、印刷媒体は、シール紙や写真紙に限られるものではなく、例えば、所定のサイズの紙やフィルム、ポスター用の紙、テレホンカード等のカード、あるいは、Ｔシャツ等の布地等に印刷するようにしてもよい。
【０２５５】
また、本発明の実施の形態は、上述した実施の形態に限定されるものではなく、本発明の要旨を逸脱しない範囲において種々の変更が可能である。
【符号の説明】
【０２５６】
１  写真シール作成装置
１１  撮影ユニット
１２  編集部
１３  事後接客部
２０１  制御部
２０８  撮影部
２０９  編集部
２１０  事後接客部
３０１  撮影処理部
３０２  編集処理部
３０３  印刷処理部
３０４  事後接客処理部
３１１  表示制御部
３１２  入力受付部
３１３  合成処理部
３２１  拡大画像表示制御部
３２２  合成用画像表示制御部
【図１】
2015034836.tif 000003
【図２】
2015034836.tif 000004
【図３】
2015034836.tif 000005
【図４】
2015034836.tif 000006
【図５】
2015034836.tif 000007
【図６】
2015034836.tif 000008
【図７】
2015034836.tif 000009
【図８】
2015034836.tif 000010
【図９】
2015034836.tif 000011
【図１０】
2015034836.tif 000012
【図１１】
2015034836.tif 000013
【図１２】
2015034836.tif 000014
【図１３】
2015034836.tif 000015
【図１４】
2015034836.tif 000016
【図１５】
2015034836.tif 000017
【図１６】
2015034836.tif 000018
【図１７】
2015034836.tif 000019
【図１８】
2015034836.tif 000020
【図１９】
2015034836.tif 000021
【図２０】
2015034836.tif 000022
【図２１】
2015034836.tif 000023